(57)【要約】【課題】低体重児の肌への負担を軽減しつつ、排泄物の漏れにくい低体重児用吸収パッドを提供すること。【解決手段】吸収体（２）と、吸収体（２）よりも肌側に配置された肌側シート（３）と、吸収体（２）よりも非肌側に配置された外装シート（６）とを有する低体重児用吸収パッド（１）であって、平面視において、吸収体（２）は、肌側シート（３）及び外装シート（６）よりも小さく、吸収体（２）は、高分子吸収剤と、液体吸収性繊維とを有し、高分子吸収剤の坪量は２５０ｇ／ｍ2以上であること。【選択図】図１
2019208961.tif 000002
【特許請求の範囲】
【請求項１】
吸収体と、前記吸収体よりも肌側に配置された肌側シートと、前記吸収体よりも非肌側に配置された外装シートとを有する低体重児用吸収パッドであって、
平面視において、前記吸収体は、前記肌側シート、及び、前記外装シートよりも小さく、
前記吸収体は、高分子吸収剤と、液体吸収性繊維とを有し、
前記高分子吸収剤の坪量は２５０ｇ／ｍ2以上であること
を特徴とする低体重児用吸収パッド。
【請求項２】
請求項１に記載の低体重児用吸収パッドであって、
前記吸収体が配置されている前記低体重児用吸収パッドの部位の厚みは２．５ｍｍ未満であることを特徴とする低体重児用吸収パッド。
【請求項３】
請求項１又は２に記載の低体重児用吸収パッドであって、
前記液体吸収性繊維の坪量は１００ｇ／ｍ2以下であることを特徴とする低体重児用吸収パッド。
【請求項４】
請求項１から３の何れか１項に記載の低体重児用吸収パッドであって、
長手方向及び幅方向を有し、
前記長手方向の長さは１８０ｍｍ以下であり、前記幅方向の長さは７５ｍｍ未満であり、
前記幅方向の一方側における前記吸収体の端から前記低体重児用吸収パッドの端までの前記幅方向の長さを、前記低体重児用吸収パッドの幅で除した値は０．１よりも大きいことを特徴とする低体重児用吸収パッド。
【請求項５】
請求項１から３の何れか１項に記載の低体重児用吸収パッドであって、
長手方向及び幅方向を有し、
前記幅方向の両側部において、前記長手方向に沿う弾性部材は設けられておらず、
前記幅方向の一方側における前記吸収体の端から前記低体重児用吸収パッドの端までの前記幅方向の長さを、前記低体重児用吸収パッドの幅で除した値は０．１よりも大きいことを特徴とする低体重児用吸収パッド。
【請求項６】
請求項１から５の何れか１項に記載の低体重児用吸収パッドであって、
外周縁部において、前記肌側シート及び前記外装シートが、接着剤、及び、溶着部によって接合されていることを特徴とする低体重児用吸収パッド。
【請求項７】
請求項６に記載の低体重児用吸収パッドであって、
前記溶着部は、前記低体重児用吸収パッドの端よりも内側に設けられていることを特徴とする低体重児用吸収パッド。
【請求項８】
請求項７に記載の低体重児用吸収パッドであって、
前記溶着部は、前記接着剤の端よりも内側に設けられていることを特徴とする低体重児用吸収パッド。
【請求項９】
請求項１から８の何れか１項に記載の低体重児用吸収パッドであって、
梱包状態において、前記低体重児用吸収パッドは折られていない状態であることを特徴とする低体重児用吸収パッド。
【請求項１０】
請求項１から９の何れか１項に記載の低体重児用吸収パッドであって、
非肌側面に接着部が設けられていないことを特徴とする低体重児用吸収パッド。
【発明の詳細な説明】
【技術分野】
【０００１】
本発明は、低体重児用吸収パッドに関する。
【背景技術】
【０００２】
特許文献１には、吸収体と、一対のファスニングテープとを有し、３０００ｇ（グラム）以下の低体重児を主な着用対象者としたテープタイプの使い捨ておむつが開示されている。
【先行技術文献】
【特許文献】
【０００３】
【特許文献１】特開２０１６−２０２７３９号公報
【発明の概要】
【発明が解決しようとする課題】
【０００４】
特許文献１に記載のテープタイプのおむつの場合、おむつを低体重児の下に敷き込む際に、低体重児の弱い肌をファスニングテープで傷つけてしまうおそれがある。一方、吸収パッドは、ファスニングテープを有さず、低体重児の腰まで敷き込む必要がないため、低体重児の肌への負担を軽減できる。よって、低体重児には吸収パッドが好適に使用される。ただし、吸収パッドは、テープタイプに比べて排泄物が漏れやすいという課題がある。
【０００５】
そこで、本発明は、低体重児の肌への負担を軽減しつつ、排泄物の漏れにくい低体重児用吸収パッドを提供することを目的とする。
【課題を解決するための手段】
【０００６】
上記目的を達成するための主たる発明は、吸収体と、前記吸収体よりも肌側に配置された肌側シートと、前記吸収体よりも非肌側に配置された外装シートとを有する低体重児用吸収パッドであって、平面視において、前記吸収体は、前記肌側シート、及び、前記外装シートよりも小さく、前記吸収体は、高分子吸収剤と、液体吸収性繊維とを有し、前記高分子吸収剤の坪量は２５０ｇ／ｍ2以上であることを特徴とする低体重児用吸収パッドである。
本発明の他の特徴については、本明細書及び添付図面の記載により明らかにする。
【発明の効果】
【０００７】
本発明によれば、低体重児の肌への負担を軽減しつつ、排泄物の漏れにくい低体重児用吸収パッドを提供できる。
【図面の簡単な説明】
【０００８】
【図１】低体重児用吸収パッド１の肌側平面図である。
【図２】低体重児用吸収パッド１の非肌側平面図である。
【図３】図１に示す線Ａ−Ａでの断面図である。
【図４】接着剤１０の塗布パターンを示す図である。
【図５】図５Ａ及び図５Ｂは吸収パッド１の使用方法の一例を説明する図である。
【図６】吸収パッド１のパッケージ４０の概略斜視図である。
【発明を実施するための形態】
【０００９】
本明細書及び添付図面の記載により、少なくとも以下の事項が明らかとなる。
吸収体と、前記吸収体よりも肌側に配置された肌側シートと、前記吸収体よりも非肌側に配置された外装シートとを有する低体重児用吸収パッドであって、平面視において、前記吸収体は、前記肌側シート、及び、前記外装シートよりも小さく、前記吸収体は、高分子吸収剤と、液体吸収性繊維とを有し、前記高分子吸収剤の坪量は２５０ｇ／ｍ2以上であることを特徴とする低体重児用吸収パッドである。
【００１０】
このような低体重児用吸収パッドによれば、低体重児の肌への負担を軽減しつつ、吸収体で排泄物をしっかりと吸収でき、排泄物の漏れを抑制できる。また、高分子吸収剤の膨潤により吸収パッドの縁部が開き、高分子吸収剤が外にこぼれてしまうことを抑制できる。
【００１１】
かかる低体重児用吸収パッドであって、前記吸収体が配置されている前記低体重児用吸収パッドの部位の厚みは２．５ｍｍ未満であることを特徴とする低体重児用吸収パッドである。
【００１２】
このような低体重児用吸収パッドによれば、吸収体が配置されている部位と配置されていない部位との段差が小さく、段差により低体重児の肌を傷付けてしまうことを抑制できる。
【００１３】
かかる低体重児用吸収パッドであって、前記液体吸収性繊維の坪量は１００ｇ／ｍ2以下であることを特徴とする低体重児用吸収パッドである。
【００１４】
このような低体重児用吸収パッドによれば、吸収体の厚みを薄くでき、吸収体が配置されている吸収パッドの部位の厚みを小さくできる。よって、吸収体が配置されている部位と配置されていない部位との段差が小さくなり、段差により低体重児の肌を傷付けてしまうことを抑制できる。
【００１５】
かかる低体重児用吸収パッドであって、長手方向及び幅方向を有し、前記長手方向の長さは１８０ｍｍ以下であり、前記幅方向の長さは７５ｍｍ未満であり、前記幅方向の一方側における前記吸収体の端から前記低体重児用吸収パッドの端までの前記幅方向の長さを、前記低体重児用吸収パッドの幅で除した値は０．１よりも大きいことを特徴とする低体重児用吸収パッドである。
【００１６】
このような低体重児用吸収パッドによれば、吸収体が配置されていない部位の幅方向の長さが比較的に長くなる。よって、高分子吸収剤の膨潤により吸収パッドの縁部が開き、高分子吸収剤が幅方向の外にこぼれてしまうことを抑制できる。
【００１７】
かかる低体重児用吸収パッドであって、長手方向及び幅方向を有し、前記幅方向の両側部において、前記長手方向に沿う弾性部材は設けられておらず、前記幅方向の一方側における前記吸収体の端から前記低体重児用吸収パッドの端までの前記幅方向の長さを、前記低体重児用吸収パッドの幅で除した値は０．１よりも大きいことを特徴とする低体重児用吸収パッドである。
【００１８】
このような低体重児用吸収パッドによれば、長手方向に展開した状態が維持されやすく、低体重児の下に吸収パッドを敷き込みやすい。また、吸収体が配置されていない部位の幅方向の長さが比較的に長くなる。よって、高分子吸収剤の膨潤により吸収パッドの縁部が開き、高分子吸収剤が幅方向の外にこぼれてしまうことを抑制できる。
【００１９】
かかる低体重児用吸収パッドであって、外周縁部において、前記肌側シート及び前記外装シートが、接着剤、及び、溶着部によって接合されていることを特徴とする低体重児用吸収パッドである。
【００２０】
このような低体重児用吸収パッドによれば、外周縁部の接合強度が高まる。よって、高分子吸収剤の膨潤により吸収パッドの縁部が開き、高分子吸収剤が外にこぼれてしまうことを抑制できる。
【００２１】
かかる低体重児用吸収パッドであって、前記溶着部は、前記低体重児用吸収パッドの端よりも内側に設けられていることを特徴とする低体重児用吸収パッドである。
【００２２】
このような低体重児用吸収パッドによれば、溶着部により吸収パッドの端の剛性が高まることを防止でき、低体重児の肌を傷付けてしまうことを抑制できる。
【００２３】
かかる低体重児用吸収パッドであって、前記溶着部は、前記接着剤の端よりも内側に設けられていることを特徴とする低体重児用吸収パッドである。
【００２４】
このような低体重児用吸収パッドによれば、溶着部はより内側に位置するため、剛性の高い溶着部で低体重児の肌を傷付けてしまうことを抑制できる。
【００２５】
かかる低体重児用吸収パッドであって、梱包状態において、前記低体重児用吸収パッドは折られていない状態であることを特徴とする低体重児用吸収パッドである。
【００２６】
このような低体重児用吸収パッドによれば、梱包時の折り癖が付くことで吸収パッドの一部が弱くなり、その部位が高分子吸収剤の膨潤で破れることがなく、高分子吸収剤が外へこぼれてしまうことを防止できる。
【００２７】
かかる低体重児用吸収パッドであって、非肌側面に接着部が設けられていないことを特徴とする低体重児用吸収パッドである。
【００２８】
このような低体重児用吸収パッドによれば、脚をＭ字型に強く曲げた姿勢を取る低体重児の脚に、吸収パッドの非肌側面の接着部がくっついてしまうことを防止でき、看護師らが吸収パットを扱いやすくなる。
【００２９】
＝＝＝実施形態＝＝＝
低体重児用吸収パッドとは、体重３０００ｇ以下の低体重児を着用対象とした吸収パッドである。中でも、２５００ｇ未満の低出生体重児、１５００ｇ未満の極低出生体重児、１０００ｇ未満の超低出生体重児に好適に適用できる。
【００３０】
＝＝＝低体重児用吸収パッド１の基本構成＝＝＝
図１は、低体重児用吸収パッド１（以下「吸収パッド」ともいう）の肌側平面図である。図２は、吸収パッド１の非肌側平面図である。図３は、図１に示す線Ａ−Ａでの断面模式図である。
【００３１】
吸収パッド１は、所謂フラットタイプの使い捨ておむつであって、平面視略長方形状であり、互いに直交する長手方向と幅方向と厚さ方向とを有する。厚さ方向において、着用者に接する側を肌側といい、その反対側を非肌側という。
【００３２】
図３に示すように、吸収パッド１は、吸収体２と、吸収体２よりも肌側に配置された肌側シート３と、吸収体２と肌側シート３の間に配置された中間シート４と、吸収体２よりも非肌側に配置された外装シート６と、吸収体２と外装シート６の間に配置された防漏シート５とを有する。肌側シート３及び中間シート４は液透過性のシートである。防漏シート５は液不透過性のシートである。また、厚さ方向に隣り合う資材は接着剤１０によって接合されている。
【００３３】
吸収体２は、高分子吸収剤（super absorbent polymer、以下「ＳＡＰ」ともいう）と、液体吸収性繊維とを有する。ＳＡＰを含有する液体吸収性繊維（吸収コア２Ａ）は、図３に示すように液透過性のコアラップシート２Ｂで覆われていてもよいし、覆われていなくてもよい。
【００３４】
ＳＡＰとしては、例えば、デンプン系、セルロース系、合成ポリマー系の何れも採用できる。デンプン系又はセルロース系としては、例えば、デンプン−アクリル酸（塩）グラフト共重合体、デンプン−アクリロニトリル共重合体のケン化物、ナトリウムカルボキシメチルセルロースの架橋物等が挙げられ、合成ポリマー系としては、例えば、ポリアクリル酸塩系（特に、ポリアクリル酸ナトリウム系）、ポリスルホン酸塩系、無水マレイン酸塩系、ポリアクリルアミド系、ポリビニルアルコール系、ポリエチレンオキシド系、ポリアスパラギン酸塩系、ポリグルタミン酸塩系、ポリアルギン酸塩系、デンプン系、セルロース系等が挙げられる。
【００３５】
液体吸収性繊維としては、パルプ繊維、コットン等のセルロース、レーヨンやフィブリルレーヨン等の再生セルロース、アセテートやトリアセテート等の半合成セルロース、熱可塑性疎水性化学繊維、親水化処理された熱可塑性疎水性化学繊維等を例示できる。
【００３６】
＝＝＝低体重児用吸収パッド１の特徴部＝＝＝
図４は、接着剤１０の塗布パターンを示す図である。図５Ａ及び図５Ｂは、吸収パッド１の使用方法の一例を説明する図である。
【００３７】
低体重児は、一般に、病院等において保育器の中で育成されている。保育器内において、低体重児は、安静を保つために、マットの上で胎内にいた時の姿勢（背中をＣ字型に丸くカーブさせ、脚をＭ字型に強く曲げた姿勢）で寝ていることが多い。低体重児のおむつ（吸収パッド１）の交換は、低体重児の身体とマットの間から使用済みのおむつが抜き取られた後、低体重児の身体とマットの間に新しいおむつが挿入される。
【００３８】
低体重児の中でも特に１０００ｇ未満の児の肌は弱い。そのため、１０００ｇ未満の児には、ファスニングテープを有さない吸収パッド１が好適に使用される。これは、吸収パッド１の交換時において、低体重児の身体とマットの間に剛性の高いファスニングテープが抜き差しされることがなく、ファスニングテープで低体重児の肌を傷つけてしまうことを防止できるからである。また、テープタイプのおむつに比べて、吸収パッド１の着脱は容易である。そのため、１０００ｇ未満の児を必要以上に動かさずに、吸収パッド１の交換を行えるので、１０００ｇ未満の児の安静を保つことができ、看護師等の負担も軽減できる。
【００３９】
また、１０００ｇ未満の児には、チューブ等の医療器具が取り付けられていたり、光線治療が施されていたりすることが多い。吸収パッド１を使用することで、低体重児の肌の露出面積を増やすことができる。そのため、低体重児に医療器具を取り付けやすくなり、光線治療の照射面積を増やすことができ、医療の妨げを抑制しつつ使用できる。
【００４０】
そこで、本実施形態の吸収パッド１の主な着用対象者を１０００ｇ未満の児とする。そのため、吸収パッド１が長手方向及び幅方向に展開している状態（図１）において、吸収パッド１の製品長（長手方向の長さ）Ｌ１を１８０ｍｍ以下とし、吸収パッド１の製品幅（幅方向の長さ）Ｗ１，Ｗ２を７５ｍｍ未満とすることが好ましい（Ｌ１≦１８０ｍｍ、Ｗ１，Ｗ２＜７５ｍｍ）。
【００４１】
吸収パッド１の製品長Ｌ１が１８０ｍｍよりも長い場合、低体重児の肌を不要に覆い、医療の妨げとなるおそれがある。また、吸収パッド１の製品幅Ｗ１，Ｗ２が７５ｍｍ以上であると、脚をＭ字型に強く曲げた姿勢を取りにくく、無理に姿勢を取らせると低体重児の肌を傷つけてしまうおそれがある。そのため、吸収パッド１のサイズを上記にすることで、医療の妨げを抑制しつつ使用でき、低体重児の肌への負担を軽減できる。
【００４２】
また、１０００ｇ未満の児の臍から背側の腰部まで長さは１４０ｍｍ程度である。そこで、本実施形態では、吸収パッド１の製品長Ｌ１を１８０ｍｍ以下、好ましくは１４０ｍｍ以下とする。このように製品長Ｌ１を出来る限り短くすることで、低体重児の下に敷き込む吸収パッド１の長さを短くできる。よって、吸収パッド１を敷き込みやすくなり、低体重児の肌への負担も軽減できる。また、１０００ｇ未満の児の股間幅は３５ｍｍ程度であるため、本実施形態では、吸収体２の幅Ｗ３を３４ｍｍとし、吸収パッド１の長手方向中央の製品幅Ｗ１〜Ｗ２を５０〜５６ｍｍとする。そうすることで、排泄物を吸収体２でしっかりと吸収できる。また、吸収パッド１を低体重児の下に敷き込んだ際に、吸収パッド１で低体重児の臀部を覆うことができる。そのため、吸収パッド１で排泄物を捉えることができる。また、看護師等にも漏れにくいという安心感を付与できる。
【００４３】
ただし、上記に限定されず、吸収パッド１の製品長Ｌ１が１８０ｍｍよりも長くてもよく、吸収パッド１の製品幅Ｗ１，Ｗ２が７５ｍｍ以上であってもよい。
【００４４】
また、本実施形態の吸収パッド１は、長手方向に対称な形状であり、長手方向の前後を区別することなく使用できる。また、吸収パッド１の幅方向の両側端は、長手方向の中央部において幅方向の内側に凸となるように湾曲している。本実施形態では、吸収パッド１の長手方向の中央部の製品幅（最小幅）Ｗ１を５０ｍｍとするのに対して、長手方向の両端部の製品幅（最大幅）Ｗ２を５６ｍｍとする。
【００４５】
このように、吸収パッド１の長手方向の両端部が膨らんだ形状であることで、低体重児の下に吸収パッド１を敷き込む際に、低体重児の身体の横から吸収パッド１が突出する。そのため、看護師等は、低体重児の身体の横から突出した吸収パッド１の部位を指で押さえることができ、吸収パッド１を敷き込みやすくなる。よって、看護師等は、低体重児の身体を必要以上に動かさず、かつ、低体重児の身体に触れずに、吸収パッド１を安全に敷き込むことができる。ただし、吸収パッド１の形状は、上記に限定されず、例えば長方形状等の種々の形状であってよい。また、吸収パッド１は長手方向に非対称な形状であってもよい。
【００４６】
また、１０００ｇ以上の低体重児の中には、臍から点滴を入れていたり、股関節に障害があったり等の理由から、テープタイプのおむつを使用できない児もいる。そのような１０００ｇ以上の低体重児にも、本実施形態の吸収パッド１を使用できることが好ましい。
【００４７】
そこで、本実施形態の吸収パッド１では、吸収体２が有するＳＡＰ（高分子吸収剤）の坪量を２５０ｇ／ｍ2以上とする。ＳＡＰは吸収体２の全面に略均等に分散されており、吸収体２の全面において、ＳＡＰの坪量が２５０ｇ／ｍ2以上であることが好ましい。ただし、吸収体２の少なくとも一部においてＳＡＰの坪量が２５０ｇ／ｍ2以上であればよい。
【００４８】
そうすることで、吸収パッド１はテープタイプのおむつのように低体重児の腰周りや脚周りを覆わないが、吸収体２で排泄物をしっかりと吸収でき、排泄物の漏れを抑制できる。具体的には、吸収体２の全面において４０ｃｃ程度の尿を吸収できる。そのため、３時間で２０ｃｃ程度の尿を排泄する１０００ｇ以上の低体重児が吸収パッド１を使用する場合にも、排泄物の漏れを抑制できる。
【００４９】
また、本実施形態の吸収パッド１は、長手方向に対称な形状であり、長手方向の前後を区別することなく使用される。低体重児がマットの上で、胎内にいた時の姿勢で寝ている場合、低体重児の臀部がマットにしっかりと当接されていることが多い。そうすると、尿が吸収体２の長手方向に拡散しにくい。その場合にも、本実施形態の吸収パッド１によれば、長手方向の両半分がそれぞれ２０ｃｃ程度の尿を吸収できる。そのため、１０００ｇ以上の低体重児の排泄口が、吸収パッド１の長手方向一方側の半分に当接する場合にも、長手方向他方側の半分に当接する場合にも、排泄物の漏れを抑制できる。
【００５０】
さらに、本実施形態の吸収パッド１では、平面視において（図１や図２に示すように厚さ方向に見て）、吸収体２は、肌側シート３、及び、外装シート６よりも小さくなっている。つまり、吸収体２は、吸収パッド１の外形を成す肌側シート３及び外装シート６よりも小さく、吸収体２の端２ａは吸収パッド１の外周端１ａに位置しない。
【００５１】
具体的には、本実施形態の吸収体２は長方形状である。そして、吸収パッド１の製品長Ｌ１は１４０〜１８０ｍｍであるのに対して、吸収体２の長手方向の長さＬ２は１１５ｍｍである。また、吸収パッド１の幅が５０〜５６ｍｍであるのに対して、吸収体２の幅は３４ｍｍである。よって、吸収パッド１は、長手方向における吸収体２の両外側と、幅方向における吸収体２の両外側とにおいて、吸収体２が配置されず、肌側シート３や外装シート６等のシートのみで構成される部位を有する。
【００５２】
そのため、本実施形態の吸収パッド１ではＳＡＰの坪量が比較的に大きいが、排泄によるＳＡＰの膨潤後に低体重児の体圧が吸収パッド１に掛かっても、吸収パッド１の外周縁部における肌側シート３と外装シート６の接合部分が開いてしまうことを抑制できる。よって、排泄後も、肌側シート３と外装シート６の間に吸収体２を封じることができ、ＳＡＰが吸収パッド１の外へこぼれてしまうことを抑制できる。
【００５３】
特に１０００ｇ未満の超急性期（２２週〜２５週）の児の皮膚はジェル状である。そのため、吸収パッド１からこぼれたＳＡＰが皮膚に付着すると取れにくくなってしまう。ＳＡＰを取るために、手袋を着用した看護師等が低体重児の身体に触れることで、低体重児の肌を傷付けてしまうおそれがある。よって、本実施形態のように、吸収パッド１からＳＡＰをこぼれにくくすることがより有効となる。
【００５４】
また、吸収体２を構成する液体吸収性繊維の坪量は１００ｇ／ｍ2以下であることが好ましい。吸収体２の全面において、液体吸収性繊維の坪量が１００ｇ／ｍ2以下であることが好ましが、吸収体２の少なくとも一部において液体吸収性繊維の坪量が１００ｇ／ｍ2以下であればよい。本実施形態では、液体吸収性繊維の坪量を８０ｇ／ｍ2以下とする。そうすることで、吸収体２の厚みを薄くできる。
【００５５】
具体的には、吸収体２が配置されている吸収パッド１の部位の厚み（製品厚み）は２．５ｍｍ未満であることが好ましく、本実施形態では２ｍｍとする。
【００５６】
吸収体２が配置されている吸収パッド１の部位の厚みが２．５ｍｍ以上であると、吸収パッド１において、吸収体２が配置されている部位と配置されていない部位との段差が大きく、段差のエッジで低体重児の肌を傷付けてしまうおそれがある。そのため、吸収体２の厚みを薄くすることで、低体重児の肌への負担を軽減できる。
【００５７】
つまり、本実施形態の吸収パッド１は、吸収体２の厚みは比較的に薄いが、ＳＡＰの坪量は比較的に大きい。このように、吸収体２におけるＳＡＰの含有率を大きくすることで、１０００ｇ未満の低体重児が着用しても、吸収体２の厚みによる段差で肌を傷付けてしまうことを抑制でき、１０００ｇ以上の低体重児が着用しても、排泄物の漏れを抑制できる。
【００５８】
ただし、上記に限定されず、液体吸収性繊維の坪量は１００ｇ／ｍ2よりも大きくてもよく、吸収体２が配置されている吸収パッド１の部位の厚みが２．５ｍｍ以上であってもよい。
【００５９】
吸収体２のＳＡＰ（高分子吸収剤）の坪量、及び、液体吸収性繊維の坪量の測定は、下記の方法で測定できる。
まず、測定対象の吸収体２から任意の質量のＳＡＰを取り出し、１ｍｏｌ／Ｌの塩酸を用いて中和滴定を行い、検量線を作成し、当該ＳＡＰのポリマー係数を割り出す。
次に、吸収体２（コアラップシート２Ｂで覆われていない状態）から、測定対象となる範囲の吸収体２の部位をサンプルとして取り出し、厚さ方向に見たサンプルの面積と、サンプル（ＳＡＰ＋液体吸収性繊維）の質量を測定する。
その後、適量の塩化ナトリウムを溶解させたイオン交換水に、サンプルを投入し、１ｍｏｌ／Ｌの塩酸を１ｍｌずつ注入し、当該イオン交換水のｐＨを測定するｐＨメーターの数値が大きく変動した時点における塩酸の注入量を読み取る。その読み取った数値と上記のポリマー係数を掛けあわせたものが、サンプルに含まれていたＳＡＰの質量となる。  
得られたＳＡＰの質量を上記のサンプル面積で除することで、ＳＡＰの坪量を算出できる。また、上記のサンプル質量からＳＡＰの質量を減ずることで、サンプルに含まれていた液体吸収性繊維の質量を算出でき、その質量を上記のサンプル面積で除することで、液体吸収性繊維の坪量を算出できる。
なお、吸収体２からサンプルを取り出す範囲は、ＳＡＰや液体吸収性繊維が吸収体２の全面に略均等に分散されている場合には吸収体２の全域であってもよい。また、吸収体２の任意の一部（例えば、１ｃｍ〜５ｃｍ角の領域）であってもよい。本発明においては，少なくとも一以上の取り出し範囲から取り出されたサンプルについて、ＳＡＰ（高分子吸収剤）の坪量が２５０ｇ／ｍ2以上であればよく、望ましくは、液体吸収性繊維の坪量が１００ｇ／ｍ2以下であるとよい。
【００６０】
また、吸収パッド１の厚みの測定は、周知の方法で行うとよい。例えば、ミツトヨ（株）製のダイヤルシックネスゲージＩＤ−Ｃ１０１２Ｃ又はそれと同等のものを使用し、接触子の面積を２０ｍｍ2、接触圧を３ｇｆ／ｃｍ2（２９４Ｎ／ｍ2）に設定して測定することができる。
【００６１】
また、吸収パッド１は、幅方向の両側部において、長手方向に沿う弾性部材が設けられていない。例えば、着用者の肌側に起立可能な防漏壁を形成するための弾性部材や、着用者の脚周りに吸収パッド１がフィットするための脚周り弾性部材が設けられていない。そのため、吸収パッド１は長手方向に展開した状態が維持されやすく、低体重児の下に吸収パッド１を敷き込みやすくなっている。
【００６２】
また、前述のように、吸収パッド１は、製品長Ｌ１を１８０ｍｍ以下とし、製品幅Ｗ１，Ｗ２を７５ｍｍ未満とすることが好ましく、全体の大きさが小さい。ただし、図１に示すように、幅方向の一方側における吸収体２の端２ａから吸収パッド１の端１ａまでの幅方向の長さＷ４を、吸収パッド１の幅Ｗ１，Ｗ２で除した値が０．１よりも大きいことが好ましい（Ｗ４／Ｗ１＞０.１，Ｗ４／Ｗ２＞０．１）。なお、長手方向において吸収体２や吸収体パッド１の幅が変化する場合、長手方向における同じ位置での吸収体２の幅及び吸収パッド１の幅とする。
【００６３】
具体的に説明すると、本実施形態では、吸収体２の幅Ｗ３は一定で３４ｍｍであり、吸収体２の幅方向の中心は、吸収パッド１の幅方向の中心に揃っているものとする。そのため、吸収パッド１の幅Ｗ１が最小の５０ｍｍである位置では、幅方向の一方側における吸収体２の端２ａから吸収パッド１の端１ａまでの幅方向の長さＷ４は８ｍｍ（（５０−３４）／２）であり、それを吸収パッド１の幅Ｗ１で除した値は０．１６（＝８／５０）となっている。また、吸収パッド１の幅Ｗ２が最大の５６ｍｍである位置では、幅方向の一方側における吸収体２の端２ａから吸収パッド１の端１ａまでの幅方向の長さＷ４は１１ｍｍ（（５６−３４）／２）であり、それを吸収パッド１の幅Ｗ１で除した値は約０．１９６（＝１１／５６）となっている。
【００６４】
この場合、吸収パッド１の幅に対して、吸収体２が配置されていない幅Ｗ４が比較的に長いことになる。そのため、排泄によるＳＡＰの膨潤後に、吸収パッド１の幅方向の両側部において、肌側シート３と外装シート６の接合部分が開いてしまうことを抑制できる。よって、ＳＡＰが吸収パッド１の幅方向の外側へこぼれてしまうことを抑制できる。
【００６５】
なお、排泄物は長手方向の両端まで拡散する確率が小さく、吸収パッド１の長手方向の両端部に比べて、幅方向の両側部の方が、肌側シート３と外装シート６の接合部分が開きやすい。そのため、上記のように、吸収体２が配置されていない幅Ｗ４を長くするとよい。ただし、本実施形態では、長手方向の一方側における吸収体２の端から吸収パッド１の端までの長さも１２．５ｍｍ以上（＝（１４０−１１５）／２）と比較的に長くなっている。そのため、ＳＡＰが吸収パッド１の長手方向の外側へこぼれてしまうことを抑制できる。
【００６６】
また、図３に示すように、吸収パッド１では、吸収体２よりも外側の外周縁部において、肌側シート３及び外装シート６が、接着剤１０によって接合されている。詳しくは、肌側シート３及び外装シート６は、中間シート４及び防漏シート５を介して、接着剤１０によって接合されている。
【００６７】
本実施形態では、肌側シート３及び外装シート６の全面に、図４に示す波線状のパターンで接着剤１０が塗布されており、吸収パッド１の一部の外周端１ａに接着剤１０が位置している。ただし、これに限らず、接着剤１０の塗布領域は、吸収パッド１の外周端１ａの内側であってもよい。また、接着剤１０の塗布パターンは、例えば、オメガ状やストライプ状等の任意の形状のパターンでも、隙間なく接着剤１０を塗布するべた塗りパターンでもよい。
【００６８】
さらに、吸収パッド１では、吸収体２よりも外側の外周縁部において、溶着部７が設けられている。溶着部７では、ヒートシール加工によって、肌側シート３と、中間シート４と、防漏シート５と、外装シート６とが溶着されて、接合一体化している。本実施形態の溶着部７は、吸収パッド２の外周縁部に沿って線状に連続して溶着された線状の溶着部７Ａと、線状の溶着部７Ａの内側において、線状の溶着部７Ａに沿って配置された点状の溶着部７Ｂとを有する。
【００６９】
このように、肌側シート３及び外装シート６が、中間シート４及び防漏シート５を介して、接着剤１０及び溶着部７によって接合されることで、例えば接着剤１０のみで接合される場合に比べて、接合強度が高まる。そのため、本実施形態の吸収パッド１ではＳＡＰの坪量が比較的に大きいが、排泄によるＳＡＰの膨潤後も、吸収パッド１の外周縁部における肌側シート３と外装シート６の接合部分が開いてしまうことを抑制でき、ＳＡＰが吸収パッド１の外へこぼれてしまうことを抑制できる。
【００７０】
なお、溶着部７のパターンは図１に例示するものに限定されない。例えば、図１では、吸収パッド２の外周縁部に沿って、複数の線状の溶着部７Ａが間隔を空けて配置されているが、線状の溶着部が完全に閉じられた長手方向に長い環状であってもよい。つまり、溶着部７は、図１に示すように吸収パッド１の外周縁部に部分的に設けられていてもよいし、吸収パッド１の外周縁部に沿って連続して設けられていてもよい。
【００７１】
また、溶着部７は、吸収パッド１の端１ａよりも内側に設けられていることが好ましい。そうすることで、溶着部７により吸収パッド１の端１ａの剛性が高まることを防止できる。よって、吸収パッド１の端１ａで低体重児の肌を傷つけてしまうことを防止できる。
【００７２】
さらに、溶着部７は、肌側シート３及び外装シート６に塗布された接着剤１０の端１０ａよりも内側に設けられていることが好ましい。そうすることで、溶着部７はより内側に位置するため、低体重児に接触しにくく、剛性の高い溶着部７で低体重児の肌を傷つけてしまうことを防止できる。また、接着剤１０が塗布された部位と溶着部７が設けられた部位とが重なり、吸収パッド１の外周縁部における接合強度が高まる。そのため、ＳＡＰが吸収パッド１の外へこぼれてしまうことを抑制できる。
【００７３】
また、低体重児用吸収パッド１は、通常、下着や使い捨ておむつに貼り付けられて使用されない。そのため、吸収パッド１の非肌側面（外装シート６の非肌側面）に、ずれ止め用の接着部が設けられていないことが好ましい。そうすることで、吸収パッド１の装着時に、低体重児とマット等の間に吸収パッド１を敷き込みやすくなる。また、脚をＭ字型に強く曲げた姿勢を取る低体重児の脚に、ずれ止め用の接着部がくっついてしまうことを防止できる。そのため、看護師らが吸収パット１を扱いやすくなる。
【００７４】
また、吸収パッド１は、図３に示すように、吸収体２と肌側シート３との間に、液透過性の中間シート４を有する。そのため、中間シート４を有さない場合に比べて、吸収パッド１の剛性が高まり、低体重児とマット等の間に吸収パッド１を敷き込みやすくなる。また、吸収パッド１を敷き込む際に、例えば吸収パッド１が断面Ｚ字状に折れて段差が生じてしまうことを抑制でき、段差により低体重児の肌を傷付けてしまうことを抑制できる。
【００７５】
また、吸収体２の剛性を高めることでも、吸収パッド１の剛性は高まる。ただし、吸収体２の端２ａを起点に吸収パッド１は折れやすいため、低体重児の脚をＭ字型に強く曲げた際に、剛性の高い吸収体２を脚で挟み込むことになり、低体重児の肌を傷付けてしまうおそれがある。そのため、上記のように吸収パッド１に中間シート４を設けることが好ましい。
【００７６】
また、図３に示すように、中間シート４の厚みｔ１は、肌側シート３の厚みｔ２よりも薄いことが好ましい（ｔ１＜ｔ２）。そうすることで、吸収パッド１に中間シート４を設けたことで、吸収パッド１の厚みが増してしまうことを抑えられる。よって、低体重児に吸収パッド１が当接する部位と当接しない部位との段差が小さくなり、段差によって低体重児の肌を傷つけてしまうことを抑制できる。
【００７７】
また、中間シート４の密度（ｇ／ｍ3）は、肌側シート３の密度（ｇ／ｍ3）よりも高いことが好ましい。そうすることで、中間シート４の剛性が高まり、その結果、吸収パッド１の剛性も高まる。よって、低体重児とマット等の間に吸収パッド１を敷き込みやすくなる。また、肌側シート３から中間シート４への排泄物の引き込み性が高まり、リウェット率が低下するため、吸収パッド１の着け心地をよくできる。
【００７８】
また、中間シート４は、低体重児の肌に直接触れないため、肌側シート３に比べて、厚みが薄く、剛性が高くとも、低体重児の肌を傷つけにくい。換言すると、肌側シート３の厚みを厚くし、剛性を低くすることで、低体重児の肌に直接触れる肌側シート３の柔軟性を高めることができ、吸収パッド１の着け心地をよくできる。中間シート４としては、スパンボンド不織布やエアレイド不織布やティッシュ等を例示できる。肌側シート３としては、エアスルー不織布等を例示できる。
【００７９】
また、図３に示すように、吸収コア２Ａ（ＳＡＰ及び液体吸収性繊維）がコアラップシート２Ｂで覆われていることによっても、吸収パッド１の剛性が高まり、吸収パッド１を敷き込みやすくなる。
【００８０】
なお、肌側シート３や中間シート４の厚み及び密度の比較は、周知の方法で行うとよい。本実施形態では、肌側シート３及び中間シート４の厚み及び密度を均一とするが、均一でない場合には、複数箇所を測定し、その平均厚み及び平均密度で比較する。
【００８１】
厚みの比較は、例えば、ミツトヨ（株）製のダイヤルシックネスゲージＩＤ−Ｃ１０１２Ｃ又はそれと同等のものを使用し、接触子の面積を２０ｍｍ2、接触圧を３ｇｆ／ｃｍ2（２９４Ｎ／ｍ2）に設定して測定することができる。また、例えば、吸収パッド１の断面に基づき目視で比較したり、吸収パッド１の断面を撮影した画像に基づき厚みを測定して比較したりしてもよい。
【００８２】
密度の比較は、例えば、吸収パッド１から、肌側シート３及び中間シート４をそれぞれサンプルとして切り出し、各サンプルの面積と質量を測定し、坪量（ｇ／ｍ2）を算出する。また、上記の方法で各サンプルの厚みも測定し、サンプルの坪量（ｇ／ｍ2）を厚み（ｍ）で除することで、密度を算出することができる（ｇ／ｍ3）。
【００８３】
また、図３に示すように、液不透過性の防漏シート５よりも非肌側に、肌側シート３と同様に柔軟なシートである外装シート６が設けられていることが好ましい。そうすることで、脚をＭ字型に強く曲げた姿勢を取る低体重児の脚に、柔軟な外装シート６が接触するため、低体重児の肌を傷つけてしまうことを抑制できる。外装シート６としては、エアスルー不織布等を例示できる。
【００８４】
また、図５Ａ及び図５Ｂに示すように、吸収パッド１は、テープタイプのおむつ２０と併用されることがある。図５Ａに示すように、吸収パッド１の下に、展開状態のテープタイプのおむつ２０を敷くことで、吸収パッド１から漏れた排泄物をテープタイプのおむつ２０で捉えることができる。また、吸収パッド１の交換時に排泄物が付着した低体重児の肌で、マット等を汚してしまうことを防止できる。このように、吸収パッド１とテープタイプのおむつ２０を併用する場合、吸収パッド１に比べて着脱が大変なテープタイプのおむつ２０の交換頻度（例えば半日や１日毎）を、吸収パッド１の交換頻度（例えば３時間毎）よりも少なくできる。そのため、低体重児の安静を保つことができ、看護師等の負担も軽減できる。
【００８５】
また、外装シート５（吸収パッド１）の非肌側面は、テープタイプのおむつ２０が有するファスニングテープ２１が係止可能であることが好ましく、外装シート５として例えば不織布等を例示できる。そうすることで、図５Ｂに示すように、低体重児の身体に沿って長手方向に折り曲げられた吸収パッド１に対して、テープタイプのおむつ２０のファスニングテープ２１を幅方向の内側に折って係止できる。そうすることで、吸収パッド１が長手方向に展開してしまうことを抑制でき、吸収パッド１を低体重児の身体に沿わせた状態を維持できる。
【００８６】
また、図２に示すように、吸収パッド１は、外装シート６の非肌側から視認可能なデザイン柄３０を有していることが好ましい。本実施形態では、防漏シート５に印刷されたデザイン柄３０が外装シート６を介して視認可能とするが、外装シート６にデザイン柄３０が印刷されていてもよい。図２では、デザイン柄３０として、動物、ハート、水玉模様、商品のキャラクター等が描かれているが、これらに限定されず、デザイン柄３０は、例えば草花や星や乗り物等であってもよい。また、デザイン柄３０は、文字や数字や記号等であってもよく、例えば商品名やサイズ（５Ｓ等）や形式（フラットタイプ等）を示すものであってもよい。また、デザイン柄３０は印刷によって形成するに限らず、例えばエンボスパターンで形成されていてもよい。
【００８７】
低体重児は、保育器の中で育成されていることが多く、保育器内で低体重児が身につけるものは吸収パッド１やおむつのみとなることが多い。低体重児の母親は、予定より早く産んで申し訳ない気持ちになったり、落ち込んだりすることがある。また、家族が低体重児に接する機会も自由ではない。そのため、吸収パッド１がデザイン柄３０を有することで、母親等の心を癒し、低体重児への愛着形成を促進できる。
【００８８】
さらに、デザイン柄３０は、ある色（例えば水色）を有するデザイン柄３０Ａ（例えば象）と、ある色とは異なる色（例えばピンク色）を有するデザイン柄３０Ｂ（例えばウサギ）とを有することが好ましい。つまり、デザイン柄３０が複数の色で形成されていることが好ましい。そうすることで、吸収パッド１がカラフルなデザインとなり、吸収パッド１が可愛らしいものとなる。その結果、低体重児への愛着形成をより促進できる。
【００８９】
なお、複数のデザイン柄３０がそれぞれ有する異なる色とは、例えば、色差が１３以上の色とする。色差は周知の方法で測定でき、例えば、コニカミノルタ社製の色彩色差計ＣＲ−３００又はそれと同等のものを使用して測定できる。その他、色見本（例えば、日本工業規格ＪＩＳ  Ｚ８１０２：２００１の付表１）で示される色名が異なる色であってもよい。
【００９０】
さらに、複数のデザイン柄３０が、吸収パッド１を長手方向に２分する中心線ＣＬ１と、吸収パッド１を幅方向に２分する中心線ＣＬ２とのうちの少なくとも一方に対して、非対称に配置されていることが好ましい。これにより、吸収パッド１のデザイン性が増し、低体重児への愛着形成をより促進できる。
【００９１】
ただし、上記に限定されず、吸収パッド１はデザイン柄３０を有していなくてもよい。また、複数のデザイン柄３０が単色であってもよい。また、デザイン柄３０が中心線ＣＬ１，ＣＬ２に対して対称に配置されていたり、等間隔で並んでいたりしてもよい。
【００９２】
＝＝＝低体重児用吸収パッドのパッケージ４０＝＝＝
図６は、吸収パッド１のパッケージ４０の概略斜視図である。吸収パッド１はパッケージ４０（袋体）に複数個ずつ又は個別に内包された状態で流通する。一般のテープタイプのおむつは長手方向に２つ折りされた状態で梱包されている。しかし、低体重児用吸収パッド１は、パッケージ４０内において（梱包状態において）、折られていない状態であることが好ましい。
【００９３】
そうすることで、パッケージ４０から取り出された吸収パッド１には、折り癖が付かない。そのため、本実施形態の吸収パッド１ではＳＡＰの坪量が比較的に大きいが、折り癖が付くことで弱くなった吸収パッド１の部位がＳＡＰの膨潤で破れ、ＳＡＰが吸収パッド１の外へこぼれてしまうことを防止できる。
【００９４】
また、吸収パッド１に折り癖が付いていないことで、低体重児とマット等の間に吸収パッド１を敷き込みやすくなる。また、吸収パッド１の折り癖により、例えば吸収パッド１が断面Ｚ字状に折れて段差が生じてしまうことがなく、段差により低体重児の肌を傷付けてしまうことを防止できる。
【００９５】
以上、上記の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【符号の説明】
【００９６】
１  吸収パッド（低体重児用吸収パッド）、
２  吸収体、２Ａ  吸収コア、２Ｂ  コアラップシート、
３  肌側シート、４  中間シート、５  防漏シート、
６  外装シート、７  溶着部、
１０  接着剤、
２０  テープタイプのおむつ、２１  ファスニングテープ、
３０  デザイン柄、
４０  パッケージ（低体重児用吸収パッドのパッケージ）、
【図１】
2019208961.tif 000003
【図２】
2019208961.tif 000004
【図３】
2019208961.tif 000005
【図４】
2019208961.tif 000006
【図５】
2019208961.tif 000007
【図６】
2019208961.tif 000008